(57)【要約】【課題】衣料用シングルジャージのようには伸縮せず、寸法安定性を兼ね備え、伝線の発生し難い内装材用シングルジャージを得る。【解決手段】各ウェールＷにおいて編成長さ方向Ｙに続く任意の編目が形成されてから次の編目が形成されるまでの選針回数が異なる短編目２１と長編目１１を編成長さ方向Ｙに交互に形成すると共に、隣り合うウェールの長編目と短編目を編幅方向Ｘにおいて隣り合わせにする。任意のウェールに隣り合う２つのウェールの編目と編目を、その任意のウェールにおいてウエルトに選針された編糸の形成するウエルトシンカーループ３０を介して連続させ、ウエルトシンカーループ３０と任意のウェールにおける長編目１１を交叉させる。長編目１１は、そのウェールにおいてタックに選針された編糸の形成するタックループ１１ｔに重なり合った多重編目１０とする。【選択図】図１
2009079314.tif 000002
【特許請求の範囲】
【請求項１】
（ａ）  任意のウェール（Ｗ）において編成長さ方向（Ｙ）に続く任意の編目が形成されてから次の編目が形成されるまでに編糸が給糸される選針回数が少ない選針回数（Ｈ）の給糸によって形成された短編目（２１）と、その選針回数が短編目（２１）の選針回数（Ｈ）よりも多い選針回数（Ｋ）の給糸によって形成された長編目（１１）が、各ウェール（Ｗ１・Ｗ２）の編成長さ方向（Ｙ）において前後して続いており、
（ｂ）  任意のウェールの短編目（２１）が、その任意のウェールに隣り合う他のウェールの長編目（１１）に編幅方向（Ｘ）において隣り合っており、
（ｃ）  任意のウェールに隣り合う２つのウェールの中の一方のウェールの何れかの編目（１１・２１）と、その任意のウェールに隣り合う２つのウェールの中の他方のウェールの何れかの編目（１１・２１）が、その任意のウェールにおいてウエルトに選針された編糸の形成するウエルトシンカーループ（３０）を介して連続しており、
（ｄ）  任意のウェールに隣り合う２つのウェールの編目（１１・２１）と編目（１１・２１）の間で連続しているウエルトシンカーループ（３０）が、その任意のウェールにおける長編目（１１）に交叉しており、
（ｅ）  長編目（１１）が、そのウェールにおいてタックに選針された編糸の形成するタックループ（１１ｔ）に重なり合って多重編目（１０）を構成していることを特徴とするシングルジャージ。
【請求項２】
多重編目（１０を構成している長編目（１１）のニットループ（１１ｎ）が、その多重編目（１０）を構成しているタックループ（１１ｔ）よりも長く、任意のウェールの多重編目（１０）を構成している長編目（１１）のニットループ（１１ｎ）から続くニットシンカーループ（１１ｍ）が、その任意のウェールにおける短編目（２１）を潜り抜けて、その任意のウェールに隣り合うウェールにおける多重編目（１０）を構成しているタックループ（１１ｔ）から続くタックシンカーループ（１１ｓ）へと続いている前掲請求項１に記載のシングルジャージ。
【請求項３】
多重編目（１０）を構成している長編目（１１）のニットループ（１１ｎ）が、その多重編目（１０）を構成しているタックループ（１１ｔ）よりも長く、任意のウェールの多重編目（１０）を構成している長編目（１１）のニットループ（１１ｎ）から続くニットシンカーループ（１１ｍ）が、その任意のウェールにおける短編目（２１）を潜り抜けて、その任意のウェールに隣り合うウェールに更に隣り合うウェールにおいて多重編目（１０）を構成している長編目（１１）のニットループ（１１ｎ）から続くニットシンカーループ（１１ｍ）へとウエルトシンカーループ（３０）を介して連続している前掲請求項１に記載のシングルジャージ。
【請求項４】
任意のウェールにおいて多重編目（１０ａ）を構成しているタックループ（１１ｔ）から続くタックシンカーループ（１１ｓ）が、その任意のウェールに隣り合うウェールにおける長編目（１１）または短編目（２１）のニットシンカーループへと続いており、その任意のウェールに隣り合う２つのウェールの編目（１１・２１）と編目（１１・２１）の間で連続しているウエルトシンカーループ（３０）に交叉している前掲請求項１と請求項２と請求項３の何れかに記載のシングルジャージ。
【請求項５】
長編目（１１）と短編目（２１）が互いに異なる編糸によって構成されており、長編目（１１）を構成している編糸の総繊度が短編目（２１）を構成している編糸の総繊度よりも太い前掲請求項１と請求項２と請求項３と請求項４の何れかに記載のシングルジャージ。
【請求項６】
長編目（１１）を構成している編糸が捲縮繊維マルチフィラメント糸である前掲請求項５に記載のシングルジャージ。
【請求項７】
各ウェール（Ｗ１・Ｗ２）の編成長さ方向（Ｙ）において交互する長編目（１１）と長編目（１１）の間に介在する短編目（２１）の数が１〜２個であり、短編目（２１）と短編目（２１）の間に介在する長編目（１１）の数が１個である前掲請求項１と請求項２と請求項３と請求項４と請求項５と請求項６の何れかに記載のシングルジャージ。
【請求項８】
隣り合う第１編針（４１）の形成する第１ウェール（Ｗ１）と第２編針（４２）の形成する第２ウェール（Ｗ２）を単位ウェール（Ｌ）とし、第１編針（４１）と第２編針（４２）に２〜３回編糸を供給する２〜３回の給糸（Ｆ１ａ、Ｆ１ｂ、Ｆ１ｃ）から成る第１給糸群（Ｆ１）と、第１編針（４１）と第２編針（４２）に第１給糸群（Ｆ１）における選針回数と同数となる２〜３回編糸を供給する２〜３回の給糸（Ｆ２ａ、Ｆ２ｂ、Ｆ２ｃ）から成る第２給糸群（Ｆ２）との合計４回または６回の給糸を単位給糸（Ｅ）とし、第１給糸群（Ｆ１）と第２給糸群（Ｆ２）の間においては、２〜３回の給糸における第１編針（４１）と第２編針（４２）の選針パターンを入れ替えてシングルジャージを編成する過程において、第１給糸群（Ｆ１）における第１編針（４１）への２〜３回の全ての給糸をニットとし、第２編針（４２）への２〜３回の何れか１回の給糸をウエルトとし、その残りの１〜２回の給糸をタックとし、第２給糸群（Ｆ２）における第１編針（４１）への２〜３回の中の何れか１回の給糸をウエルトとし、その残りの１〜２回の給糸をタックとし、第２編針（４２）への２〜３回の全ての給糸をニットとし、第１ウェール（Ｗ１）と第２ウェール（Ｗ２）の間で交互して２〜３回の連続する給糸において２〜３個の編目（１１・２１）を連続形成し、その連続する２〜３回の給糸において、各ウェールに隣り合う２つのウェールの中の一方のウェールの１〜２個の編目（１１・２１）と、その隣り合う２つのウェールの中の他方の１〜２個のウェールの編目（１１・２１）の間を、ウエルトに選針した編糸によるウエルトシンカーループ（３０）によって連続させることを特徴とするシングルジャージ編成方法。
【発明の詳細な説明】
【技術分野】
【０００１】
本発明は、主として内装材、特に、車両用内装材に使用されるシングルジャージに関するものである。
【背景技術】
【０００２】
シングルジャージは、経編地に比して伸縮し易く、車両の天井、ドア、座席等の立体形状に成形し易いことから、車両用内装材に好んで使用される。しかし、シングルジャージでは、１個の編目が解れると、編成長さ方向に続くウェールにおいて連鎖して隣り合う編目と編目の連鎖が解れ、そのウェール方向に連鎖して続いていた編目間の連鎖が次々に解けて発生する”伝線”が問題となる。
【０００３】
その伝線を防ぐ方法として、２種類の編糸を使用し、ニットループとタックループを入れ混ぜて編成する方法（例えば、特許文献１参照）や、ニットループとタックループの入り混じった混合ウェールと編目だけが続くニットウェールを編幅方向に交互に繰り返し形成する方法（例えば、特許文献２参照）が考えられている。
【０００４】
【特許文献１】特開平０８−１００３０５号公報
【特許文献２】特開２００４−１２４３４５号公報
【発明の開示】
【発明が解決しようとする課題】
【０００５】
上記特許文献１・２に記載の何れの方法も衣料用シングルジャージにおける伝線防止方法であり、それを効果的に実施するためには弾性糸を併用し、先に解れ出た編目に連鎖して続く編目を弾性的に閉じ加減にし、その先に解れ出た編目を、それに連鎖して続く編目から解れ出た編目が抜け出さないようにしている。しかし、内装用シングルジャージを衣料用シングルジャージと同程度に伸縮自在にすると、内装用シングルジャージは寸法安定性を著しく欠くものとなり、それを内装材に使用すると、次第に弛緩して皺が発生し易く、又、摩耗し易い等の不具合が発生する。
【０００６】
そこで本発明は、衣料用シングルジャージのようには伸縮せず、寸法安定性を兼ね備え、伝線の発生し難い内装材用シングルジャージを得ることを目的とする。
【課題を解決するための手段】
【０００７】
本発明に係るシングルジャージは、任意のウェールＷにおいて編成長さ方向Ｙに続く任意の編目が形成されてから次の編目が形成されるまでに編糸が給糸される選針回数が少ない選針回数Ｈの給糸によって形成された短編目２１と、その選針回数が短編目２１の選針回数Ｈよりも多い選針回数Ｋの給糸によって形成された長編目１１が、各ウェールＷ１・Ｗ２の編成長さ方向Ｙにおいて前後して続いており、任意のウェールの短編目２１が、その任意のウェールに隣り合う他のウェールの長編目１１に編幅方向Ｘにおいて隣り合っており、任意のウェールに隣り合う２つのウェールの中の一方のウェールの何れかの編目（１１・２１）と、その任意のウェールに隣り合う２つのウェールの中の他方のウェールの何れかの編目（１１・２１）が、その任意のウェールにおいてウエルトに選針された編糸の形成するウエルトシンカーループ３０を介して連続しており、任意のウェールに隣り合う２つのウェールの編目（１１・２１）と編目（１１・２１）の間で連続しているウエルトシンカーループ３０が、その任意のウェールにおける長編目１１に交叉しており、長編目１１が、そのウェールにおいてタックに選針された編糸の形成するタックループ１１ｔに重なり合って多重編目１０を構成していることを第１の特徴とする。
【０００８】
本発明に係るシングルジャージの第２の特徴は、上記第１の特徴に加えて、多重編目１０を構成している長編目１１のニットループ１１ｎが、その多重編目を構成しているタックループ１１ｔよりも長く、任意のウェールの多重編目１０を構成している長編目１１のニットループ１１ｎから続くニットシンカーループ１１ｍが、その任意のウェールにおける短編目２１を潜り抜けて、その任意のウェールに隣り合うウェールにおける多重編目１０を構成しているタックループ１１ｔから続くタックシンカーループ１１ｓへと続いている点にある。
【０００９】
本発明に係るシングルジャージの第３の特徴は、上記第１の特徴に加えて、多重編目１０を構成している長編目１１のニットループ１１ｎが、その多重編目を構成しているタックループ１１ｔよりも長く、任意のウェールの多重編目１０を構成している長編目１１のニットループ１１ｎから続くニットシンカーループ１１ｍが、その任意のウェールにおける短編目２１を潜り抜けて、その任意のウェールに隣り合うウェールに更に隣り合うウェールにおいて多重編目１０を構成している長編目１１のニットループ１１ｎから続くニットシンカーループｍへとウエルトシンカーループ３０を介して連続している点にある。
【００１０】
本発明に係るシングルジャージの第４の特徴は、上記第１と第２と第３の何れかの特徴に加えて、任意のウェールにおいて多重編目１０ａを構成しているタックループ１１ｔから続くタックシンカーループ１１ｓが、その任意のウェールに隣り合うウェールにおける長編目１１または短編目２１のニットシンカーループへと続いており、その任意のウェールに隣り合う２つのウェールの編目（１１・２１）と編目（１１・２１）の間で連続しているウエルトシンカーループ（３０）に交叉している点にある。
【００１１】
本発明に係るシングルジャージの第５の特徴は、上記第１と第２と第３と第４の何れかの特徴に加えて、長編目１１と短編目２１が互いに異なる編糸によって構成されており、長編目１１を構成している編糸の総繊度が短編目２１を構成している編糸の総繊度よりも太い点にある。
【００１２】
本発明に係るシングルジャージの第６の特徴は、上記第５の特徴に加えて、長編目１１を構成している編糸が捲縮繊維マルチフィラメント糸である点にある。
【００１３】
本発明に係るシングルジャージの第７の特徴は、上記第１と第２と第３と第４と第５と第６の何れかの特徴に加えて、各ウェールＷ１・Ｗ２の編成長さ方向Ｙにおいて交互する長編目１１と長編目１１の間に介在する短編目２１の数が１〜２個であり、短編目２１と短編目２１の間に介在する長編目１１の数が１個である点にある。
【００１４】
本発明に係るシングルジャージの編成方法は、隣り合う第１編針４１の形成する第１ウェールＷ１と第２編針４２の形成する第２ウェールＷ２を単位ウェール（Ｌ）とし、第１編針４１と第２編針４２に２〜３回編糸を供給する２〜３回の給糸（Ｆ１ａ、Ｆ１ｂ、Ｆ１ｃ）から成る第１給糸群Ｆ１と、第１編針４１と第２編針４２に第１給糸群Ｆ１における選針回数と同数となる２〜３回編糸を供給する２〜３回の給糸（Ｆ２ａ、Ｆ２ｂ、Ｆ２ｃ）から成る第２給糸群Ｆ２との合計４回または６回の給糸を単位給糸（Ｅ）とし、第１給糸群Ｆ１と第２給糸群Ｆ２の間においては、２〜３回の給糸における第１編針４１と第２編針４２の選針パターンを入れ替えてシングルジャージを編成する過程において、第１給糸群Ｆ１における第１編針４１への２〜３回の全ての給糸をニットとし、第２編針４２への２〜３回の何れか１回の給糸をウエルトとし、その残りの１〜２回の給糸をタックとし、第２給糸群Ｆ２における第１編針４１への２〜３回の中の何れか１回の給糸をウエルトとし、その残りの１〜２回の給糸をタックとし、第２編針４２への２〜３回の全ての給糸をニットとし、第１ウェールＷ１と第２ウェールＷ２の間で交互して２〜３回の連続する給糸において２〜３個の編目を連続形成し、その連続する２〜３回の給糸において、各ウェールに隣り合う２つのウェールの中の一方のウェールの１〜２個の編目（１１・２１）と、その隣り合う２つのウェールの中の他方の１〜２個のウェールの編目（１１・２１）の間を、ウエルトに選針した編糸によるウエルトシンカーループ３０によって連続させることを特徴とする。
【発明の効果】
【００１５】
図１に示すように、各ウェールＷにおいて編成長さ方向Ｙに続く任意の編目が形成されてから次の編目が形成されるまでに編糸が給糸される選針回数が少ない選針回数Ｈの給糸によって形成された短編目２１は、その選針回数が短編目２１の選針回数Ｈよりも多い選針回数Ｋの給糸によって形成された長編目１１に比して細かく、編成長さ方向Ｙに連鎖している細かい短編目２１Ｐが長編目１１Ｑの輪の中に遊嵌していて抜け易いとしても、解れ出た大きい長編目１１Ｐは、それが連鎖していた細かい短編目２１Ｒによる拘束から解放されると、その選針回数Ｋに応じて大きく輪状に脹らみ出し、それが連鎖している細かい短編目２１Ｑから抜け出し難くなる。
【００１６】
その解れ出た長編目１１Ｐが格別大きく脹らまないとしても、その大きな長編目１１Ｐが長ければ、無限に長い糸条が針孔から抜け出さないように、その連鎖している細かい短編目２１Ｑからは容易に抜け出さない（図１）。
【００１７】
その長編目１１のニットシンカーループ１１ｍ（１１ｓ）が、その長編目１１Ｐの編成長さ方向（Ｙ）の逆方向（Ｙ）乃至直角方向（Ｘ）に折れ曲がって続いているので、そのニットシンカーループ１１ｍ（１１ｓ）に作用する張力は、大きい長編目１１Ｐを細かい短編目２１Ｑから引き抜く方向には作用し難くなる。
【００１８】
その長編目１１のニットループ１１ｎが、その多重編目１０に連鎖する短編目２１の折れ曲がったニットシンカーループの折り目に、その多重編目１０の一部を成すタックループ１１ｔと一緒に挟み込まれているのでズレ動き難く、長編目１１のニットループ１１ｎがズレ動くときはタックループ１１ｔが絡むので、短編目２１も長編目１１から外れ難くなる。
【００１９】
そして、解れ出た長編目１１Ｐに隣り合う左右のウェールとウェールの間は、その解れ出た長編目１１Ｐに連続せず、その解れ出た長編目１１Ｐに直交する異なる編糸によるウエルトシンカーループ３０によって、その解れ出た長編目１１Ｐに隣り合うウェールの編目（１１・２１）と編目（１１・２１）の間が連結されているので、解れた長編目１１Ｐにウェールが大きく目開きすることはなく、長編目１１Ｐが、その連鎖する細かい短編目２１Ｑから抜け出し難い状態に維持される（図１）。
【００２０】
編幅方向Ｘにおいて隣り合う短編目２１と長編目１１を編成長さ方向Ｙに交互に編成するためには、長編目１１の編糸と短編目２１の編糸とは同時に給糸せず、それらは別々に給糸することになるので、長編目１１の編糸の総繊度を短編目２１の編糸の総繊度よりも太くすると、短編目２１が相対的に長編目１１よりも隙間（輪奈）の細かいものとなり、又、その解れ出た長編目１１Ｐが一層大きく膨らんで短編目２１Ｑから更に抜け出し難くなる（図１）。
【００２１】
そのように、長編目１１の編糸の総繊度を短編目２１の編糸の総繊度よりも太くするときは、長編目１１がニードルループ面に隆起したループパイル状の凸部を形成することになるので（図１）、感触の柔らかいシングルジャージが得られる。
一方、短編目２１は、その長編目１１のループパイル状の凸部の下に隠れることになるので（図１）、長編目１１の編糸に比して細い編糸を短編目２１に使用しても何ら不都合は生じない。
本発明では、太い捲縮繊維マルチフィラメント糸を長編目１１の編糸に使用したので、嵩高で感触が柔らかく、摩耗し難く、内装用シングルジャージに好適なシングルジャージが得られる。
【００２２】
本発明では、各ウェールの編成長さ方向Ｙにおいて交互する長編目１１と長編目１１の間に介在する短編目２１の数を１〜２個としたので、長編目１１が長く浮き出て引っ掻き出されるようなことはなく、ニードルループ面を起毛して仕上げることも可能となり、シングルジャージが耐摩耗性に優れたものとなる。
【００２３】
そのように、長編目１１の編込み長さが、長く浮き出て引っ掻き出される程度ではなく、而も、各長編目１１に隣り合う２つのウェールの編目（１１・２１）と編目（１１・２１）の間で連続しているウエルトシンカーループ３０が長編目１１に交叉しているので、編幅方向Ｘでの寸法安定性も向上し、その長編目１１が解れ出ても２つのウェール間が大きく目開きすることがなく、寸法安定性と耐久性に優れたシングルジャージが得られる。
【００２４】
本発明の編成方法によると、短編目２１Ｐが解れ出すとしても、その解れは長編目１１Ｑで止められ（図１）、伝線が発生せず、衣料用シングルジャージのようには伸縮せず、寸法安定性と耐久性に優れ、長編目１１がループパイル状の凸部となって市松模様状に現われて内装用シングルジャージに好適なシングルジャージが得られる。
【発明を実施するための最良の形態】
【００２５】
長編目１１の編糸に使用する捲縮繊維は、短編目２１の編糸に使用する繊維に比して捲縮しているものであればよい。
しかし、長編目１１が細かい短編目２１に確り把持されて、解れても短編目２１から抜け出し難くするためには、短編目２１の編糸には無捲縮のマルチフィラメント糸を使用することが望ましく、そのように短編目２１の編糸に無捲縮乃至低捲縮マルチフィラメント糸を使用することによって、シングルジャージのセット性（形状安定性）を高めることが出来る。
長編目１１が細かい短編目２１に確り把持されるようにするためには、長編目１１の編糸の総繊度を短編目２１の編糸の総繊度よりも太くし、長編目１１の編糸の繊維を短編目２１の編糸の繊維よりも高捲縮にすると共に、長編目１１の編糸の単繊維繊度を、短編目２１の編糸の単繊維繊度よりも細く、概して２ｄｔｅｘ以下にすると効果的である。
【００２６】
内装用シングルジャージは、その内装材としての使用において、衣類に縫合されている雄形面ファスナーに擦られて綻ぶことが問題になり易い。
しかし、本発明によると、長編目１１が短編目２１に確り把持されており、その短編目は、ループパイル状に隆起した長編目の下に隠れて擦られ難いので、その長編目１１の現われるニードルループ面を起毛して仕上げることが出来、そのように起毛して仕上げると、ニードルループ面が起毛毛羽に覆われて雄形面ファスナーが食い込み難く引っ掛かり難くなるので、雄形面ファスナーに対しても耐摩耗性のあるシングルジャージを得ることが出来る。
【００２７】
本発明の編成方法によると、前記特徴を有するシングルジャージが得られる。
以下、図を参照しつつ、その編成方法を具体的に説明する。
【００２８】
シングルジャージは、隣り合う第１編針４１の形成する第１ウェールＷ１と第２編針４２の形成する第２ウェールＷ２を単位ウェール（Ｌ）とし、第１編針４１と第２編針４２に２〜３回編糸を供給する第１〜第３給糸（Ｆ１ａ、Ｆ１ｂ、Ｆ１ｃ）から成る第１給糸群Ｆ１と、第１編針４１と第２編針４２に第１給糸群Ｆ１における選針回数と同数となる２〜３回編糸を供給する第１〜第３給糸（Ｆ２ａ、Ｆ２ｂ、Ｆ２ｃ）から成る第２給糸群Ｆ２との合計４回または６回の給糸を単位給糸（Ｅ）とし、第１給糸群Ｆ１と第２給糸群Ｆ２の間においては、第１〜第３給糸における第１編針４１と第２編針４２への選針パターンを入れ替えて編成される。
長編目１１の編糸の総繊度は、短編目２１の編糸の総繊度の１．５倍以上にする。
【００２９】
［具体例１］
図１と図２に示すシングルジャージでは、２種類の編糸Ａ・Ｂを順次給糸する第１給糸（Ｆ１ａ、Ｆ２ａ）と第２給糸（Ｆ１ｂ、Ｆ２ｂ）によって第１給糸群Ｆ１と第２給糸群Ｆ２が構成されている。第１給糸群Ｆ１における第１編針４１への第１給糸Ｆ１ａと第２給糸Ｆ１ｂは全てニットであり、第２編針４２への編糸Ａの第１給糸Ｆ１ａはウエルト、編糸Ｂの第２給糸Ｆ１ｂはタックになっている。第２給糸群Ｆ２における第１編針４１への編糸Ａの第１給糸Ｆ２ａはウエルト、編糸Ｂの第２給糸Ｆ２ｂはタックであり、第２編針４２への第１給糸Ｆ２ａと第２給糸Ｆ２ｂは全てニットになっている。
【００３０】
第１給糸群Ｆ１と第２給糸群Ｆ２の間においては、第１〜第２給糸における第１編針４１と第２編針４２の選針パターンが入れ替るので、第１と第２給糸群（Ｆ１・Ｆ２）においてウエルトに選針された編糸Ａは、それぞれ第１ウェールＷ１と第２ウェールＷ２の何れかに交叉するウエルトシンカーループ３０を形成し、第１ウェールＷ１に交叉するウエルトシンカーループ３０ａと第２ウェールＷ２に交叉するウエルトシンカーループ３０ｂが、シングルジャージのシンカーループ面に市松模様状に互い違いに現われる（図２）。
【００３１】
第１編針４１に対し、第２給糸群Ｆ２の第１給糸Ｆ２ａにおいて編糸Ａがウエルトで、第２給糸Ｆ２ｂにおいて編糸Ｂがタックで選針されてから、第１給糸群Ｆ１の第１給糸Ｆ１ａにおいて編糸Ａがニットで選針されて編目２１を形成すると、第１給糸群Ｆ１の第２給糸Ｆ１ｂにおいてニットで選針された編糸Ｂは、その第１給糸群Ｆ１の第２給糸Ｆ１ｂから次の単位給糸（Ｅ）の第１給糸群Ｆ１の第１給糸Ｆ１ａまで続く長編目１１（ニットループ１１ｎ）を形成する。
その長ニットループ１１ｎと共に、第２給糸群Ｆ２の第２給糸Ｆ２ｂでタックに選針された編糸Ｂはタックループ（１１ｔ）を形成し、長編目１１のニットループ（１１ｎ）とタックループ（１１ｔ）は多重編目１０ａを形成し、第１給糸群Ｆ１の第１給糸Ｆ１ａにおいてニットで選針された編糸Ａは短編目２１を形成する。
【００３２】
第１給糸群Ｆ１と第２給糸群Ｆ２の間においては、第１〜第２給糸における第１編針４１と第２編針４２の選針パターンが入れ替るので、第２編針４２に対し、第１給糸群Ｆ１の第１給糸Ｆ１ａにおいて編糸Ａがウエルトで、第２給糸Ｆ１ｂにおいて編糸Ｂがタックで選針されてから、第２給糸群Ｆ２の第１給糸Ｆ２ａにおいて編糸Ａがニットで選針されてニットループ２１を形成すると、第２給糸群Ｆ２の第２給糸Ｆ２ｂにおいてニットで選針された編糸Ｂは、その第２給糸群Ｆ２の第２給糸Ｆ２ｂから次の単位給糸（Ｅ）の第２給糸群Ｆ２の第１給糸Ｆ２ａまで続く長編目１１（ニットループ１１ｎ）を形成する。
その長ニットループ１１ｎと共に、第１給糸群の第１給糸Ｆ１ｂでタックに選針された編糸Ｂはタックループ（１１ｔ）を形成し、長編目１１のニットループ（１１ｎ）とタックループ（１１ｔ）は多重編目１０ｂを形成し、第２給糸群Ｆ２の第１給糸Ｆ２ａにおいてニットで選針された編糸Ａは短編目２１を形成することになる。
【００３３】
このように、図２に示す具体例によると、
（ａ）  編糸Ａの構成する１個の短編目２１と、その短編目２１の選針回数Ｈの約３倍の選針回数Ｋの編糸Ｂの構成する１個の長編目１１が各ウェールＷ１・Ｗ２の編成長さ方向Ｙに交互に続き、
（ｂ）  任意のウェールの短編目２１が、その任意のウェールに隣り合う他のウェールの長編目１１に編幅方向Ｘにおいて隣り合い、
（ｃ）  任意のウェールに隣り合う２つのウェールの中の一方のウェールにおいて編糸Ａの構成する短編目２１と他方のウェールにおいて編糸Ａの構成する短編目２１がウエルトシンカーループ３０を介して連続し、
（ｄ）  その隣り合う短編目２１・２１の間で連続しているウエルトシンカーループ３０が長編目１１に交叉しており、
（ｅ）  長編目１１がタックに選針された編糸Ｂの形成するタックループ１１ｔに重なり合って多重編目１０を構成しており、
（ｆ）  その多重編目１０を構成している長編目１１のニットループ１１ｎが、その多重編目１０を構成しているタックループ１１ｔよりも長く、
（ｇ）  任意のウェールの多重編目１０を構成している長編目１１のニットループ１１ｎから続くニットシンカーループ１１ｍが、その任意のウェールにおいて編糸Ａの形成する短編目２１を潜り抜けて、その任意のウェールに隣り合うウェールのタックループ１１ｔへと続くシングルジャージが編成される。
【００３４】
そして、第１給糸群Ｆ１と第２給糸群Ｆ２の間においては、第１〜第２給糸における第１編針４１と第２編針４２の選針パターンが入れ替るので、第１編針４１の形成する多重編目１０ａと第２編針４２の形成する多重編目１０ｂがウェール（Ｗ１、Ｗ２）に交叉する斜め方向に位置し、任意のウェールにおいて多重編目１０ａを構成している編糸Ｂの形成するタックループ１１ｔから続くタックシンカーループ１１ｓが、その任意のウェールに隣り合うウェールにおける短編目２１のニットシンカーループへと続いており、その任意のウェールに隣り合う２つのウェールにおいて編糸Ａの形成する短編目２１と短編目２１の間で連続しているウエルトシンカーループ（３０）に交叉することになる。
【００３５】
［具体例２］
図３に示すシングルジャージでは、２種類の編糸Ａ・Ｂを順次給糸する第１給糸（Ｆ１ａ、Ｆ２ａ）と第２給糸（Ｆ１ｂ、Ｆ２ｂ）によって第１給糸群Ｆ１と第２給糸群Ｆ２が構成されている。第１給糸群Ｆ１における第１編針４１への第１給糸Ｆ１ａと第２給糸Ｆ１ｂは全てニットであり、第２編針４２への編糸Ａの第１給糸Ｆ１ａはタック、編糸Ｂの第２給糸Ｆ１ｂはウエルトになっている。第２給糸群Ｆ２における第１編針４１への編糸Ａの第１給糸Ｆ２ａはタック、編糸Ｂの第２給糸Ｆ２ｂはウエルトであり、第２編針４２への第１給糸Ｆ２ａと第２給糸Ｆ２ｂは全てニットになっている。
【００３６】
第１給糸群Ｆ１と第２給糸群Ｆ２の間においては、第１〜第２給糸における第１編針４１と第２編針４２の選針パターンが入れ替るので、第１と第２給糸群（Ｆ１・Ｆ２）においてウエルトに選針された編糸Ｂは、それぞれ第１ウェールＷ１と第２ウェールＷ２の何れかに交叉するウエルトシンカーループ３０を形成し、第１ウェールＷ１に交叉するウエルトシンカーループ３０ａと第２ウェールＷ２に交叉するウエルトシンカーループ３０ｂが、シングルジャージのシンカーループ面に市松模様状に互い違いに現われる（図３）。
【００３７】
第１編針４１に対し、第２給糸群Ｆ２の第１給糸Ｆ２ａにおいて編糸Ａがタックで、第２給糸Ｆ２ｂにおいて編糸Ｂがウエルトで選針されてから、第１給糸群Ｆ１の第１給糸Ｆ１ａにおいて編糸Ａがニットで選針されて編目２１を形成すると、第１給糸群Ｆ１の第２給糸Ｆ１ｂにおいてニットで選針された編糸Ｂは、その第１給糸群Ｆ１の第２給糸Ｆ１ｂから次の単位給糸（Ｅ）の第１給糸群Ｆ１の第１給糸Ｆ１ａまで続く長編目１１（ニットループ１１ｎ）を形成する。
その長ニットループ１１ｎと共に、第２給糸群Ｆ２の第１給糸Ｆ２ａでタックに選針された編糸Ａはタックループ（１１ｔ）を形成し、長編目１１のニットループ（１１ｎ）とタックループ（１１ｔ）は多重編目１０ａを形成し、第１給糸群Ｆ１の第１給糸Ｆ１ａにおいてニットで選針された編糸Ａは短編目２１を形成する。
【００３８】
第１給糸群Ｆ１と第２給糸群Ｆ２の間においては、第１〜第２給糸における第１編針４１と第２編針４２の選針パターンが入れ替るので、第２編針４２に対し、第１給糸群Ｆ１の第１給糸Ｆ１ａにおいて編糸Ａがタックで、第２給糸Ｆ１ｂにおいて編糸Ｂがウエルトで選針されてから、第２給糸群Ｆ２の第１給糸Ｆ２ａにおいて編糸Ａがニットで選針されてニットループ２１を形成すると、第２給糸群Ｆ２の第２給糸Ｆ２ｂにおいてニットで選針された編糸Ｂは、その第２給糸群Ｆ２の第２給糸Ｆ２ｂから次の単位給糸（Ｅ）の第２給糸群Ｆ２の第１給糸Ｆ２ａまで続く長編目１１（ニットループ１１ｎ）を形成する。
その長ニットループ１１ｎと共に、第１給糸群の第１給糸Ｆ１ａでタックに選針された編糸Ａはタックループ（１１ｔ）を形成し、長編目１１のニットループ（１１ｎ）とタックループ（１１ｔ）は多重編目１０ｂを形成し、第２給糸群Ｆ２の第１給糸Ｆ２ａにおいてニットで選針された編糸Ａは短編目２１を形成することになる。
【００３９】
このように、図３に示す具体例によると、
（ａ）  編糸Ａの構成する１個の短編目２１と、その短編目２１の選針回数Ｈの約３倍の選針回数Ｋの編糸Ｂの構成する１個の長編目１１が各ウェールＷ１・Ｗ２の編成長さ方向Ｙに交互に続き、
（ｂ）  任意のウェールの短編目２１が、その任意のウェールに隣り合う他のウェールの長編目１１に編幅方向Ｘにおいて隣り合い、
（ｃ）  任意のウェールに隣り合う２つのウェールの中の一方のウェールにおいて編糸Ｂの構成する長編目１１と他方のウェールにおいて編糸Ｂの構成する長編目１１がウエルトシンカーループ３０を介して連続し、
（ｄ）  その隣り合う長編目１１・１１の間で連続しているウエルトシンカーループ３０が長編目１１に交叉しており、
（ｅ）  長編目１１がタックに選針された編糸Ａの形成するタックループ１１ｔに重なり合って多重編目１０を構成しており、
（ｆ）  その多重編目１０を構成している長編目１１のニットループ１１ｎが、その多重編目１０を構成しているタックループ１１ｔよりも長く、
（ｇ）  任意のウェールの多重編目１０を構成している長編目１１のニットループ１１ｎから続くニットシンカーループ１１ｍが、その任意のウェールにおいて編糸Ａの形成する短編目２１を潜り抜けて、その任意のウェールに隣り合うウェールのタックループ１１ｔへと続くシングルジャージが編成される。
【００４０】
そして、第１給糸群Ｆ１と第２給糸群Ｆ２の間においては、第１〜第３給糸における第１編針４１と第２編針４２の選針パターンが入れ替るので、第１編針４１の形成する多重編目１０ａと第２編針４２の形成する多重編目１０ｂがウェール（Ｗ１、Ｗ２）に交叉する斜め方向に位置し、任意のウェールにおいて多重編目１０ａを構成している編糸Ｂの形成するタックループ１１ｔから続くタックシンカーループ１１ｓが、その任意のウェールに隣り合うウェールにおける長編目１１のニットシンカーループへと続いており、その任意のウェールに隣り合う２つのウェールにおいて編糸Ａの形成する長編目１１と長編目１１の間で連続しているウエルトシンカーループ（３０）に交叉することになる。
【００４１】
［具体例３］
図４に示すシングルジャージでは、３種類の編糸Ａ・Ｂ・Ｃを順次給糸する第１給糸（Ｆ１ａ、Ｆ２ａ）と第２給糸（Ｆ１ｂ、Ｆ２ｂ）と第３給糸（Ｆ１ｃ、Ｆ２ｃ）によって第１給糸群Ｆ１と第２給糸群Ｆ２が構成されている。第１給糸群Ｆ１における第１編針４１への第１給糸Ｆ１ａと第２給糸Ｆ１ｂと第３給糸Ｆ１ｃは全てニットであり、第２編針４２への編糸Ａの第１給糸Ｆ１ａはタック、編糸Ｂの第２給糸Ｆ１ｂはウエルト、編糸Ｃの第３給糸Ｆ１ｃはタックになっている。第２給糸群Ｆ２における第１編針４１への編糸Ａの第１給糸Ｆ２ａはタック、編糸Ｂの第２給糸Ｆ２ｂはウエルト、編糸Ｃの第３給糸Ｆ２ｃはタックであり、第２編針４２への第１給糸Ｆ２ａと第２給糸Ｆ２ｂと第３給糸Ｆ２ｃは全てニットになっている。
【００４２】
第１給糸群Ｆ１と第２給糸群Ｆ２の間においては、第１〜第３給糸における第１編針４１と第２編針４２の選針パターンが入れ替るので、第１と第２給糸群（Ｆ１・Ｆ２）においてウエルトに選針された編糸Ｂは、それぞれ第１ウェールＷ１と第２ウェールＷ２の何れかに交叉するウエルトシンカーループ３０を形成し、第１ウェールＷ１に交叉するウエルトシンカーループ３０ａと第２ウェールＷ２に交叉するウエルトシンカーループ３０ｂが、シングルジャージのシンカーループ面に市松模様状に互い違いに現われる（図４）。
【００４３】
第１編針４１に対し、第２給糸群Ｆ２の第１給糸Ｆ２ａにおいて編糸Ａがタックで、第２給糸Ｆ２ｂにおいて編糸Ｂがウエルトで、第３給糸Ｆ２ｃにおいて編糸Ｃがタックで選針されてから、第１給糸群Ｆ１の第１給糸Ｆ１ａにおいて編糸Ａがニットで選針されて編目２１を形成すると、第１給糸群Ｆ１の第３給糸Ｆ１ｃにおいてニットで選針された編糸Ｃは、その第１給糸群Ｆ１の第３給糸Ｆ１ｃから次の単位給糸（Ｅ）の第１給糸群Ｆ１の第１給糸Ｆ１ａまで続く長編目１１（ニットループ１１ｎ）を形成する。
その長ニットループ１１ｎと共に、第２給糸群Ｆ２の第１給糸Ｆ２ａでタックに選針された編糸Ａと第３給糸Ｆ２ｃでタックに選針された編糸Ｃはタックループ（１１ｔ、１１ｔ）を形成し、長編目１１のニットループ（１１ｎ）とタックループ（１１ｔ、１１ｔ）は多重編目１０ａを形成し、第１給糸群Ｆ１の第１給糸Ｆ１ａにおいてニットで選針された編糸Ａと第２給糸Ｆ１ｂにおいてニットで選針された編糸Ｂは短編目２１・２１を形成することになる。
【００４４】
第１給糸群Ｆ１と第２給糸群Ｆ２の間においては、第１〜第３給糸における第１編針４１と第２編針４２の選針パターンが入れ替るので、第２編針４２に対し、第１給糸群Ｆ１の第１給糸Ｆ１ａにおいて編糸Ａがタックで、第２給糸Ｆ１ｂにおいて編糸Ｂがウエルトで、第３給糸Ｆ１ｃにおいて編糸Ｃがタックで選針されてから、第２給糸群Ｆ２の第１給糸Ｆ２ａにおいて編糸Ａがニットで選針されて編目２１を形成すると、第２給糸群Ｆ２の第３給糸Ｆ２ｃにおいてニットで選針された編糸Ｃは、その第２給糸群Ｆ２の第３給糸Ｆ２ｃから次の単位給糸（Ｅ）の第２給糸群Ｆ２の第１給糸Ｆ２ａまで続く長編目１１（ニットループ１１ｎ）を形成する。
その長ニットループ１１ｎと共に、第１給糸群の第１給糸Ｆ１ａでタックに選針された編糸Ａと第３給糸Ｆ１ｃでタックに選針された編糸Ｃはタックループ（１１ｔ、１１ｔ）を形成し、長編目１１のニットループ１１ｎとタックループ（１１ｔ、１１ｔ）は多重編目１０ｂを形成し、第２給糸群Ｆ２の第１給糸Ｆ２ａにおいてニットで選針された編糸Ａと第２給糸Ｆ２ｂにおいてニットで選針された編糸Ｂは短編目２１・２１を形成することになる。
【００４５】
このように、図４に示す具体例によると、
（ａ）  編糸Ａ・Ｂの構成する２個の短編目２１・２１と、その各短編目２１の選針回数Ｈの約４倍の選針回数Ｋの編糸Ｃの構成する１個の長編目１１が各ウェールＷ１・Ｗ２の編成長さ方向Ｙに交互に続き、
（ｂ）  任意のウェールの短編目２１が、その任意のウェールに隣り合う他のウェールの長編目１１に編幅方向Ｘにおいて隣り合い、
（ｃ）  任意のウェールに隣り合う２つのウェールの中の一方のウェールにおいて編糸Ｃの構成する短編目２１と他方のウェールにおいて編糸Ｃの構成する短編目２１がウエルトシンカーループ３０を介して連続し、
（ｄ）  その隣り合う短編目２１・２１の間で連続しているウエルトシンカーループ３０が長編目１１に交叉しており、
（ｅ）  長編目１１がタックに選針された編糸Ａ・Ｃの形成するタックループ１１ｔ・１１ｔに重なり合って多重編目１０を構成しており、
（ｆ）  その多重編目１０を構成している長編目１１のニットループ１１ｎが、その多重編目１０を構成しているタックループ１１ｔ・１１ｔよりも長く、
（ｇ）  任意のウェールの多重編目１０を構成している長編目１１のニットループ１１ｎから続くニットシンカーループ１１ｍが、その任意のウェールにおいて編糸Ｂの形成する短編目２１を潜り抜けて、その任意のウェールに隣り合うウェールのタックループ１１ｔへと続くシングルジャージが編成される。
【００４６】
そして、第１給糸群Ｆ１と第２給糸群Ｆ２の間においては、第１〜第３給糸における第１編針４１と第２編針４２の選針パターンが入れ替るので、第１編針４１の形成する多重編目１０ａと第２編針４２の形成する多重編目１０ｂがウェール（Ｗ１、Ｗ２）に交叉する斜め方向に位置し、任意のウェールにおいて多重編目１０ａを構成している編糸Ａの形成するタックループ１１ｔから続くタックシンカーループ１１ｓが、その任意のウェールに隣り合うウェールにおける短編目２１のニットシンカーループへと続いており、その任意のウェールに隣り合う２つのウェールにおいて編糸Ｂの形成する短編目２１と短編目２１の間で連続しているウエルトシンカーループ（３０）に交叉することになる。
【００４７】
［具体例４］
図５に示すシングルジャージでは、４種類の編糸Ａ・Ｂ・Ｃ・Ｄを順次給糸する第１給糸（Ｆ１ａ、Ｆ２ａ）と第２給糸（Ｆ１ｂ、Ｆ２ｂ）と第３給糸（Ｆ１ｃ、Ｆ２ｃ）と第４給糸（Ｆ１ｄ、Ｆ２ｄ）によって第１給糸群Ｆ１と第２給糸群Ｆ２が構成されている。
第１給糸群Ｆ１における第１編針４１への第１給糸Ｆ１ａと第２給糸Ｆ１ｂと第３給糸Ｆ１ｃと第４給糸Ｆ１ｄは全てニットであり、第２編針４２への編糸Ａの第１給糸Ｆ１ａはタック、編糸Ｂの第２給糸Ｆ１ｂはウエルト、編糸Ｃの第３給糸Ｆ１ｃはウエルト、編糸Ｄの第４給糸Ｆ１ｄはタックになっている。
第２給糸群Ｆ２における第１編針４１への編糸Ａの第１給糸Ｆ２ａはタック、編糸Ｂの第２給糸Ｆ２ｂはウエルト、編糸Ｃの第３給糸Ｆ２ｃはウエルト、編糸Ｄの第４給糸Ｆ２ｄはタックであり、第２編針４２への第１給糸Ｆ２ａと第２給糸Ｆ２ｂと第３給糸Ｆ２ｃと第４給糸Ｆ２ｄは全てニットになっている。
【００４８】
第１給糸群Ｆ１と第２給糸群Ｆ２の間においては、第１〜第４給糸における第１編針４１と第２編針４２の選針パターンが入れ替るので、第１と第２給糸群（Ｆ１・Ｆ２）においてウエルトに選針された編糸Ｂ・Ｃは、それぞれ第１ウェールＷ１と第２ウェールＷ２の何れかに交叉するウエルトシンカーループ３０を形成し、第１ウェールＷ１に交叉するウエルトシンカーループ３０ａと第２ウェールＷ２に交叉するウエルトシンカーループ３０ｂが、シングルジャージのシンカーループ面に市松模様状に互い違いに現われる（図５）。
【００４９】
第１編針４１に対し、第２給糸群Ｆ２の第１給糸Ｆ２ａにおいて編糸Ａがタックで、第２給糸Ｆ２ｂにおいて編糸Ｂがウエルトで、第３給糸Ｆ２ｃにおいて編糸Ｃがウエルトで、第４給糸Ｆ２ｄにおいて編糸Ｄがタックで選針されてから、第１給糸群Ｆ１の第１給糸Ｆ１ａにおいて編糸Ａがニットで選針されて編目２１を形成すると、第１給糸群Ｆ１の第４給糸Ｆ１ｄにおいてニットで選針された編糸Ｄは、その第１給糸群Ｆ１の第４給糸Ｆ１ｄから次の単位給糸（Ｅ）の第１給糸群Ｆ１の第１給糸Ｆ１ａまで続く長編目１１（ニットループ１１ｎ）を形成する。
その長ニットループ１１ｎと共に、第２給糸群Ｆ２の第１給糸Ｆ２ａでタックに選針された編糸Ａと第４給糸Ｆ２ｄでタックに選針された編糸Ｄはタックループ（１１ｔ、１１ｔ）を形成し、長編目１１のニットループ（１１ｎ）とタックループ（１１ｔ、１１ｔ）は多重編目１０ａを形成し、第１給糸群Ｆ１の第１給糸Ｆ１ａにおいてニットで選針された編糸Ａと第２給糸Ｆ１ｂにおいてニットで選針された編糸Ｂと第３給糸Ｆ１ｃにおいてニットで選針された編糸Ｃは短編目２１・２１・２１を形成することになる。
【００５０】
第１給糸群Ｆ１と第２給糸群Ｆ２の間においては、第１〜第４給糸における第１編針４１と第２編針４２の選針パターンが入れ替るので、第２編針４２に対し、第１給糸群Ｆ１の第１給糸Ｆ１ａにおいて編糸Ａがタックで、第２給糸Ｆ１ｂにおいて編糸Ｂがウエルトで、第３給糸Ｆ１ｃにおいて編糸Ｃがウエルトで、第４給糸Ｆ１ｄにおいて編糸Ｄがタックで選針されてから、第２給糸群Ｆ２の第１給糸Ｆ２ａにおいて編糸Ａがニットで選針されてニットループ２１を形成すると、第２給糸群Ｆ２の第４給糸Ｆ２ｄにおいてニットで選針された編糸Ｄは、その第２給糸群Ｆ２の第４給糸Ｆ２ｄから次の単位給糸（Ｅ）の第２給糸群Ｆ２の第１給糸Ｆ２ａまで続く長編目１１（ニットループ１１ｎ）を形成する。
その長ニットループ１１ｎと共に、第１給糸群の第１給糸Ｆ１ａでタックに選針された編糸Ａと第４給糸Ｆ１ｄでタックに選針された編糸Ｄはタックループ（１１ｔ、１１ｔ）を形成し、長編目１１のニットループ（１１ｎ）とタックループ（１１ｔ、１１ｔ）は多重編目１０ｂを形成し、第２給糸群Ｆ２の第１給糸Ｆ２ａにおいてニットで選針された編糸Ａと第２給糸Ｆ２ｂにおいてニットで選針された編糸Ｂと第３給糸Ｆ２ｃにおいてニットで選針された編糸Ｃは短編目２１・２１・２１を形成することになる。
【００５１】
このように、図５に示す具体例によると、
（ａ）  編糸Ａ・Ｂ・Ｃの構成する３個の短編目２１・２１・２１と、その各短編目２１の選針回数Ｈの約５倍の選針回数Ｋの編糸Ｄの構成する１個の長編目１１が各ウェールＷ１・Ｗ２の編成長さ方向Ｙに交互に続き、
（ｂ）  任意のウェールの短編目２１が、その任意のウェールに隣り合う他のウェールの長編目１１に編幅方向Ｘにおいて隣り合い、
（ｃ）  任意のウェールに隣り合う２つのウェールの中の一方のウェールにおいて編糸Ｂ・Ｃの構成する短編目２１・２１と他方のウェールにおいて編糸Ｂ・Ｃの構成する短編目２１・２１がウエルトシンカーループ３０を介して連続し、
（ｄ）  その隣り合う短編目２１・２１の間で連続しているウエルトシンカーループ３０・３０が長編目１１に交叉しており、
（ｅ）  長編目１１がタックに選針された編糸Ａ・Ｄの形成するタックループ１１ｔ・１１ｔに重なり合って多重編目１０を構成しており、
（ｆ）  その多重編目１０を構成している長編目１１のニットループ１１ｎが、その多重編目１０を構成しているタックループ１１ｔ・１１ｔよりも長く、
（ｇ）  任意のウェールの多重編目１０を構成している長編目１１のニットループ１１ｎから続くニットシンカーループ１１ｍが、その任意のウェールにおいて編糸Ｃの形成する短編目２１を潜り抜けて、その任意のウェールに隣り合うウェールのタックループ１１ｔへと続くシングルジャージが編成される。
【００５２】
そして、第１給糸群Ｆ１と第２給糸群Ｆ２の間においては、第１〜第４給糸における第１編針４１と第２編針４２の選針パターンが入れ替るので、第１編針４１の形成する多重編目１０ａと第２編針４２の形成する多重編目１０ｂがウェール（Ｗ１、Ｗ２）に交叉する斜め方向に位置し、任意のウェールにおいて多重編目１０ａを構成している編糸Ａの形成するタックループ１１ｔから続くタックシンカーループ１１ｓが、その任意のウェールに隣り合うウェールにおける短編目２１のニットシンカーループへと続いており、その任意のウェールに隣り合う２つのウェールにおいて編糸Ｂ・Ｃの形成する短編目２１と短編目２１の間で連続しているウエルトシンカーループ（３０・３０）に交叉することになる。
【００５３】
［参考例］
図６に示すシングルジャージは、本発明に対する参考例であり、３種類の編糸Ａ・Ｂ・Ｃを順次給糸する第１給糸（Ｆ１ａ、Ｆ２ａ）と第２給糸（Ｆ１ｂ、Ｆ２ｂ）と第３給糸（Ｆ１ｃ、Ｆ２ｃ）によって第１給糸群Ｆ１と第２給糸群Ｆ２が構成されている。第１給糸群Ｆ１における第１編針４１への編糸Ａの第１給糸Ｆ１ａはニット、編糸Ｂの第１給糸Ｆ１ｂはウエルト、編糸Ｃの第１給糸Ｆ１ｃはニットであり、第２編針４２への編糸Ａの第１給糸Ｆ１ａはタック、編糸Ｂの第２給糸Ｆ１ｂはニット、編糸Ｃの第３給糸Ｆ１ｃはウエルトになっている。第２給糸群Ｆ２における第１編針４１への編糸Ａの第１給糸Ｆ２ａはタック、編糸Ｂの第２給糸Ｆ２ｂはニット、編糸Ｃの第３給糸Ｆ２ｃはウエルトであり、第２編針４２への編糸Ａの第１給糸Ｆ２ａはニット、編糸Ｂの第２給糸Ｆ２ｂはウエルト、編糸Ｃの第３給糸Ｆ２ｃはニットになっている。
【００５４】
第１給糸群Ｆ１と第２給糸群Ｆ２の間においては、第１〜第３給糸における第１編針４１と第２編針４２の選針パターンが入れ替るので、第１と第２給糸群（Ｆ１・Ｆ２）においてウエルトに選針された編糸Ｂ・Ｃは、それぞれ第１ウェールＷ１と第２ウェールＷ２の何れかに交叉するウエルトシンカーループ３０を形成し、第１給糸群Ｆ１の第２給糸Ｆ１ｂにおいて編糸Ｂが第１ウェールＷ１に交叉して構成するウエルトシンカーループ３０ａと第１給糸群Ｆ１の第３給糸Ｆ１ｃにおいて編糸Ｃが第２ウェールＷ２に交叉して構成するウエルトシンカーループ３０ｂ、および、第２給糸群Ｆ２の第２給糸Ｆ２ｂにおいて編糸Ｂが第１ウェールＷ２に交叉して構成するウエルトシンカーループ３０ｂと第２給糸群Ｆ２の第３給糸Ｆ２ｃにおいて編糸Ｃが第２ウェールＷ１に交叉して構成するウエルトシンカーループ３０ａは、それぞれ互い違いに現われる。
しかし、第１給糸群Ｆ１の第３給糸Ｆ１ｃにおいて編糸Ｃが第２ウェールＷ２に交叉して構成するウエルトシンカーループ３０ｂと、その編糸Ｃに隣り合って第２給糸群Ｆ２の第２給糸Ｆ２ｂにおいて編糸Ｂが第１ウェールＷ２に交叉して構成するウエルトシンカーループ３０ｂとは互い違いにならず、又、第２給糸群Ｆ２の第３給糸Ｆ２ｃにおいて編糸Ｃが第２ウェールＷ１に交叉して構成するウエルトシンカーループ３０ａと、その編糸Ｃに隣り合って第１給糸群Ｆ１の第２給糸Ｆ１ｂにおいて編糸Ｂが第１ウェールＷ１に交叉して構成するウエルトシンカーループ３０ａも互い違いにならない。
従って、この参考例においては、ウエルトシンカーループ３０は、市松模様状には互い違いに現われない（図６）。
【００５５】
又、参考例においては、第１編針４１に対し、第１給糸群Ｆ１の第１給糸Ｆ１ａにおいて編糸Ａがニットで、第１給糸群Ｆ１の第２給糸Ｆ１ｂにおいて編糸Ｂがウエルトで、第１給糸群Ｆ１の第３給糸Ｆ１ｃにおいて編糸Ｃがニットで選針されると、第１給糸群Ｆ１の第１給糸Ｆ１ａにおいてニットで選針された編糸Ａは、第１給糸群Ｆ１の第１給糸Ｆ１ａから第１給糸群Ｆ１の第３給糸Ｆ１ｃまで続く編目５２を形成し、第１給糸群Ｆ１の第３給糸Ｆ１ｃにおいて編糸Ｃがニットで、第２給糸群Ｆ２の第１給糸Ｆ２ａにおいて編糸Ａがタックで、第２給糸群Ｆ２の第２給糸Ｆ２ｂにおいて編糸Ｂがニットで選針されると、第１給糸群Ｆ１の第３給糸Ｆ１ｃにおいてニットで選針された編糸Ｃは、第１給糸群Ｆ１の第３給糸Ｆ１ｃから第２給糸群Ｆ２の第２給糸Ｆ２ｂまで続く編目５０を形成し、第２給糸群Ｆ２の第２給糸Ｆ２ｂにおいて編糸Ｂがニットで、第２給糸群Ｆ３の第３給糸Ｆ２ｃにおいて編糸Ｃがウエルトで、第１給糸群Ｆ１の第２給糸Ｆ１ａにおいて編糸Ａがニットで選針されると、第２給糸群Ｆ２の第２給糸Ｆ２ｂにおいてニットで選針された編糸Ｂは、第２給糸群Ｆ２の第２給糸Ｆ２ｂから第１給糸群Ｆ１の第２給糸Ｆ１ａまで続く編目５１を形成する。
しかし、これらの編糸Ａの形成する編目５２と、編糸Ｃの形成する編目５０と、編糸Ｂの形成する編目５１は、何れも１回のタックやウエルトの選針の後に、つまり、給糸２回につき１個の割合で形成され、それらの編目５０・５１・５２の間に長短差は生じない。
【００５６】
そして、参考例においては、第１給糸群Ｆ１と第２給糸群Ｆ２の間において、第１〜第３給糸における第１編針４１と第２編針４２の選針パターンが入れ替るので、第２編針４２に対し、第１給糸群Ｆ１の第２給糸Ｆ１ｂにおいて編糸Ｂがニットに選針されて形成する編目５１も、第２給糸群Ｆ２の第１給糸Ｆ２ａにおいて編糸Ａがニットに選針されて形成する編目５２も、第２給糸群Ｆ２の第３給糸Ｆ２ｃにおいて編糸Ｃがニットに選針されて形成する編目５０も、第１編針４１によって形成される編目５０・５１・５２と同様に、同じ長さとなる。
【００５７】
第１編針４１への第２給糸群Ｆ２の第１給糸Ｆ２ａにおいてタックで選針された編糸Ａが第２給糸群Ｆ２の第２給糸Ｆ２ｂにおいて編糸Ｃの編目５０と共にタックループ（５０ｔ）を形成し、それらの編目５０とタックループ（５０ｔ）が多重編目１０ａを構成するとしても、その編目５０に交叉するウエルトシンカーループ（３０ａ）は形成されない。
【００５８】
編糸Ａの形成する編目５２や編糸Ｂの形成する編目５１にウエルトシンカーループ３０ａが交叉するとしても、それらの編目５２・５１は多重編目１０ａを構成しない。
【００５９】
このように、図６に示す参考例のシングルジャージは、隣り合う第１編針４１の形成する第１ウェールＷ１と第２編針４２の形成する第２ウェールＷ２を単位ウェール（Ｌ）とし、第１編針４１と第２編針４２に３回編糸を供給する第１〜第３給糸（Ｆ１ａ、Ｆ１ｂ、Ｆ１ｃ）から成る第１給糸群Ｆ１と、第１編針４１と第２編針４２に第１給糸群Ｆ１における選針回数と同数となる３回編糸を供給する第１〜第３給糸（Ｆ２ａ、Ｆ２ｂ、Ｆ２ｃ）から成る第２給糸群Ｆ２との合計６回の給糸を単位給糸（Ｅ）において、第１編針４１と第２編針４２にニットとタックとウエルトを交えて３種類の編糸Ａ・Ｂ・Ｃを順次給糸し、第１給糸群Ｆ１と第２給糸群Ｆ２の間においては、第１〜第３給糸における第１編針４１と第２編針４２の選針パターンを入れ替えて編成されるが、多重編目１０を構成している編目５０がウエルトシンカーループ３０ａと交叉することはなく、３種類の編糸Ａ・Ｂ・Ｃの形成する編目５０・５１・５２の編込み長さは等しく、長短異なる編目が何れのウェールＷ１・Ｗ２においても編成長さ方向Ｙに交互に続かない点において、前記具体例のシングルジャージとは構成を異なるものとなる。
【００６０】
上記の具体例と参考例に記載の通り、編目の編込み長さ（Ｈ・Ｋ）は、任意のウェールＷにおいて編成長さ方向Ｙに続く任意の編目が形成されてから次の編目が形成されるまでに編糸が給糸される選針回数（Ｈ・Ｋ）によって設定される。
【実施例】
【００６１】
［実施例１］
［表１］に示す規格の編糸Ａと編糸Ｂを使用し、図２に示す編組織に従って［表１］に示す規格のシングルジャージを編成する。
【００６２】
［実施例２］
［表１］に示す規格の編糸Ａと編糸Ｂと編糸Ｃを使用し、図４に示す編組織に従って［表１］に示す規格のシングルジャージを編成する。
【００６３】
［実施例３］
［表１］に示す規格の編糸Ａと編糸Ｂと編糸Ｃと編糸Ｄを使用し、図５に示す編組織に従って［表１］に示す規格のシングルジャージを編成する。
【００６４】
［比較例］
［表１］に示す規格の編糸Ａと編糸Ｂと編糸Ｃを使用し、図６に示す編組織に従って［表１］に示す規格のシングルジャージを編成する。
【００６５】
［表１］に示す通り、図６に示す編組織に従って編成した比較例のシングルジャージでは、編目をカットすると編成長さ方向に続く伝線（タテラン）が発生するが、図２と図４と図５に示す編組織に従って編成した本発明の実施例１〜３のシングルジャージでは、編目をカットしても編成長さ方向に続く伝線は発生しない。
しかし、図５に示す編組織に従って編成した本発明の実施例３のシングルジャージでは、編目をカットすると編目が開き、編幅方向に編糸がズレ動き、比較例のシングルジャージにおける伝線（タテラン）程に長く連続することはないものの、ヨコ伝線（ヨコラン）の発生が認められた。
従って、実施例３からして、本発明を効果的に実施するためには、各ウェールＷ１・Ｗ２の編成長さ方向Ｙにおいて交互する長編目１１と長編目１１の間に介在する短編目２１の数を１〜２個とし、短編目２１と短編目２１の間に介在する長編目１１の数を１個とすることが推奨される。
【００６６】
【表１】
2009079314.tif 000003
【図面の簡単な説明】
【００６７】
【図１】本発明に係るシングルジャージの拡大斜視図である。
【図２】図１に示すシングルジャージの編組織図であり、分図（ａ）は給糸と編針との関係図、分図（ｂ）はシングルジャージの編組織構造図である。
【図３】本発明に係るシングルジャージの編組織図であり、分図（ａ）は給糸と編針との関係図、分図（ｂ）はシングルジャージの編組織構造図である。
【図４】本発明に係るシングルジャージの編組織図であり、分図（ａ）は給糸と編針との関係図、分図（ｂ）はシングルジャージの編組織構造図である。
【図５】本発明に係るシングルジャージの編組織図であり、分図（ａ）は給糸と編針との関係図、分図（ｂ）はシングルジャージの編組織構造図である。
【図６】本発明に対応する参考例に係るシングルジャージの編組織図であり、分図（ａ）は給糸と編針との関係図、分図（ｂ）はシングルジャージの編組織構造図である。
【符号の説明】
【００６８】
１０：多重編目
１１：長編目
１１ｎ：ニットループ
１１ｍ：ニットシンカーループ
１１ｔ：タックループ
１１ｓ：タックシンカーループ
２１：短編目
３０：ウエルトシンカーループ
４１：第１編針
４２：第２編針
Ｆ１：第１給糸群
Ｆ２：第２給糸群
Ｗ１：第１ウェール
Ｗ２：第２ウェール
【図１】
2009079314.tif 000004
【図２】
2009079314.tif 000005
【図３】
2009079314.tif 000006
【図４】
2009079314.tif 000007
【図５】
2009079314.tif 000008
【図６】
2009079314.tif 000009